(57)【要約】【課題】ヘッドマウントディスプレイに装着される顔当てパッドを交換できる顔当てパッド構造及びその構造を含むヘッドマウントディスプレイを提供する。【解決手段】ヘッドマウントディスプレイに用いられる顔当てパッド構造であって、ヘッドマウントディスプレイは、使用者が覗き込む少なくとも１つのレンズが配されたレンズユニットと、レンズユニットと使用者の顔面との間に配される顔当てパッドとを備え、顔当てパッドが、レンズユニットに脱着自在に固定されているヘッドマウントディスプレイ用顔当てパッド構造及びそれを用いたヘッドマウントディスプレイ。【選択図】図１
2019068235.tif 000002
【特許請求の範囲】
【請求項１】
ヘッドマウントディスプレイに用いられる顔当てパッド構造であって、
前記ヘッドマウントディスプレイは、使用者が覗き込む少なくとも１つのレンズが配されたレンズユニットと、前記レンズユニットと前記使用者の顔面との間に配される顔当てパッドとを備え、
前記顔当てパッドが、前記レンズユニットに脱着自在に固定されていることを特徴とするヘッドマウントディスプレイ用顔当てパッド構造。
【請求項２】
前記顔当てパッドは、前記顔面に当接する表装材と、前記表装材を支持するフレーム状部材とを備え、前記フレーム状部材が前記レンズユニットに脱着自在に固定されている請求項１に記載のヘッドマウントディスプレイ用顔当てパッド構造。
【請求項３】
前記レンズユニットを取り囲む外周縁を前記フレーム状部材の内周縁に嵌め込むことにより脱着自在に固定されている請求項２に記載のヘッドマウントディスプレイ用顔当てパッド構造。
【請求項４】
前記外周縁に沿って形成された第１の嵌合部に、前記内周縁に沿って形成された第２の嵌合部を嵌合させる嵌合構造を有する請求項３に記載のヘッドマウントディスプレイ用顔当てパッド構造。
【請求項５】
前記フレーム状部材が弾性体である請求項２〜４の何れか１項に記載のヘッドマウントディスプレイ用顔当てパッド構造。
【請求項６】
前記表装材は布帛または皮革様シートを表層に含む請求項２〜５の何れか１項に記載のヘッドマウントディスプレイ用顔当てパッド構造。
【請求項７】
請求項１〜６の何れか１項に記載のヘッドマウントディスプレイ用顔当てパッド構造を備えるヘッドマウントディスプレイ。
【発明の詳細な説明】
【技術分野】
【０００１】
本発明は、ヘッドマウントディスプレイ用顔当てパッド構造及びヘッドマウントディスプレイに関する。
【背景技術】
【０００２】
従来、使用者の眼を覆うように顔に当てられて使用されるヘッドマウントディスプレイが知られている。
【０００３】
ヘッドマウントディスプレイは、箱形状の筐体内に、映像や画像を表示するディスプレイ（像表示部）及びそれを制御するプロセッサを含む表示制御部や両眼に対向させて配置される接眼レンズを収容し、ゴーグルのように使用者の頭部に装着して接眼レンズから像表示部に表示される像を覗かせるように、顔面に当てられて使用される。使用者は接眼レンズを通して、像表示部に表示される再生される像を視認する。
【０００４】
ヘッドマウントディスプレイは、鮮明な画像を使用者に提示するために、像表示部を配置する筐体内、及び、ヘッドマウントディスプレイと顔との間に形成される空間に外部の光が侵入しないように視界を外部から遮る必要がある。ヘッドマウントディスプレイには、顔面との間に形成される空間に外部の光が侵入しないように、使用者が覗き込む接眼レンズが配されたレンズユニットに、使用者の目を取り囲む顔当てパッドが配される。
【０００５】
ヘッドマウントディスプレイの筐体内には、像表示部とともに、像の表示を制御するための表示制御部が収容される。表示制御部は再生装置から送信される像データを高速で処理するときに発熱する。そのために、像表示部や表示制御部から発せられる熱や体温による熱が使用者の顔面からの発汗を促し、顔当てパッドが汚れたり汗を吸収したりして使用者に不快感を与えることが問題となっていた。
【０００６】
このような不快感を与えることを解消するために、次のような技術が知られている。例えば、下記特許文献１は、ヘッドマウントディスプレイの肌に密着する部分に装着する使い捨てカバーを提案する。また、下記特許文献２は、被検者の顔面に装着固定するゴーグルの装着面に着脱可能なゴーグル装着部交換シートであって、被検者の両眼各々の外周縁に当接する眼部外周縁当接部と被検者の鼻梁及びその両側部に当接する鼻当接部を一体に備えたゴーグル装着部交換シートを開示する。また、ゴーグルの装着面は、スポンジが貼着されたものであるとともに、ゴーグル装着部交換シート本体のゴーグルとの当接面側は不織布からなるものであることを開示する。さらに、下記特許文献３は、ヘッドマウントディスプレイの使用者の両眼の外周縁に当接する不織布で構成されている眼部外周縁当接部と、使用者の頸部から上の頭部に装着するための装着部を有するゴーグル汚損防止シートを開示する。
【先行技術文献】
【特許文献】
【０００７】
【特許文献１】特開２０１７−１５３０５３号公報
【特許文献２】特開２００５−７０５５４ 号公報
【特許文献３】特開２０１６−１７０４３１号公報
【発明の概要】
【発明が解決しようとする課題】
【０００８】
特許文献１〜３に開示されたような不織布を用いた交換用シートは、ヘッドマウントディスプレイの一部である顔当てパッドを覆うことにより、顔当てパッドに顔面が直接触れないようにする使い捨てられるシートである。しかし、顔当てパッドを交換用シートで覆っても、交換用シートを通過した汗が顔当てパッドに付着したり、顔当てパッドが汚れたりすることがあった。従来の顔当てパッドはヘッドマウントディスプレイの本体に交換できないように固定されていたために、清浄化された予備の顔当てパッドに交換したり、使用済みの顔当てパッドを清浄化したりすることが簡便にはできなかった。
【０００９】
本発明は、ヘッドマウントディスプレイに装着される顔当てパッドを交換できる顔当てパッド構造及びその構造を含むヘッドマウントディスプレイを提供することを目的とする。
【課題を解決するための手段】
【００１０】
本発明の一局面は、ヘッドマウントディスプレイに用いられる顔当てパッド構造であって、ヘッドマウントディスプレイは、使用者が覗き込む少なくとも１つのレンズが配されたレンズユニットと、レンズユニットと使用者の顔面との間に配される顔当てパッドとを備え、顔当てパッドが、レンズユニットに脱着自在に固定されているヘッドマウントディスプレイ用顔当てパッド構造である。このような構成によれば、顔当てパッドがヘッドマウントディスプレイのレンズユニットから脱着自在であるために、顔当てパッドが交換できる。それにより、顔当てパッドを予備の清浄化されたものに交換したり、使用済みのものを清浄化したりして使用することができる。
【００１１】
また、顔当てパッドは、顔面に当接する表装材と、表装材を支持するフレーム状部材とを備え、フレーム状部材がレンズユニットに脱着自在に固定されていることが、脱着を容易にする構造を採用しやすい点から好ましい。具体的には、例えば、レンズユニットを取り囲む外周縁をフレーム状部材の内周縁に嵌め込むことにより脱着自在に固定されているような構造が挙げられる。さらに具体的には、外周縁に沿って形成された線状の凹部等の第１の嵌合部に、内周縁に沿って形成された前記線状の凹部に対応する線状の凸部等の第２の嵌合部を嵌合させる嵌合構造を有すること、さらには、フレーム状部材がゴムまたは熱可塑性エラストマーのような弾性体であることが、脱着が容易になる点から好ましい。また、フレーム状部材が弾性体である場合には、それ自身が弾力性を有するために顔面との接触性に優れ、また、洗濯による洗浄も可能になる顔当てパッドが得られる。
【００１２】
また、表装材は布帛または皮革様シートを含むことが、意匠性と快適性に優れる点から好ましい。また、弾性体のフレーム状部材と組み合わせた場合には、表装材とフレーム状部材とをインモールド成形等を用いて一体成形できるために生産性にも優れる。
【００１３】
また、本発明の一局面は、上記何れかのヘッドマウントディスプレイ用顔当てパッド構造を備えるヘッドマウントディスプレイである。
【発明の効果】
【００１４】
本発明によれば、顔当てパッドを交換できるヘッドマウントディスプレイを提供することができる。
【図面の簡単な説明】
【００１５】
【図１】図１は、顔当てパッド３を備えるヘッドマウントディスプレイ１０の斜視模式図であり、（ａ）は顔当てパッド３を取り外したとき、（ｂ）は顔当てパッド３を装着したときの様子を示す模式図である。
【図２】図２は、ヘッドマウントディスプレイ１０を再生装置２０に接続してなるヘッドマウントディスプレイシステム１００のブロック図である。
【図３】図３は、ヘッドマウントディスプレイ１０を使用者Ｕに装着させ、使用するときのヘッドマウントディスプレイシステム１００の全体構成を示す説明図である。
【図４】図４は、顔当てパッド３をレンズユニット２に脱着するときの様子を説明する説明図である。
【図５】図５は、顔当てパッド３をレンズユニット２に装着するときの模式断面図である。
【図６】図６は、ヘッドマウントディスプレイ１０を装着したときに使用者Ｕの顔面に顔当てパッド３が当接する様子を説明する説明図である。
【発明を実施するための形態】
【００１６】
はじめに、本発明に係るヘッドマウントディスプレイ用顔当てパッド構造を備えるヘッドマウントディスプレイの一実施形態の全体構成を図面を参照して説明する。
【００１７】
図１は、本実施形態の顔当てパッド３を備えるヘッドマウントディスプレイ１０の斜視模式図であり、（ａ）はヘッドマウントディスプレイ１０から顔当てパッド３を取り外したときの様子を示し、（ｂ）はヘッドマウントディスプレイ１０に顔当てパッド３を装着したときの様子を示す模式図である。また、図２は、ヘッドマウントディスプレイ１０を再生装置２０に接続してなるヘッドマウントディスプレイシステム１００のブロック図である。また、図３は、ヘッドマウントディスプレイ１０を使用者Ｕに装着させ、使用するときのヘッドマウントディスプレイシステム１００の全体構成を示す説明図である。
【００１８】
図１中、１は筐体、２ａはレンズユニット本体、２ｂ，２ｃはレンズ装着凹部、２ｄは鼻あて部、３は顔当てパッド、４ａは右目用接眼レンズ、４ｂは左目用接眼レンズ、５は固定ベルトである。固定ベルト５は、使用者Ｕの頭部にヘッドマウントディスプレイ１０を固定するためのベルト５ａ及び長さ調節するためのサイズ調節具５ｂを備える。レンズユニット２は、使用者が覗き込む右目用接眼レンズ４ａ及び左目用接眼レンズ４ｂをレンズユニット本体２ａのレンズ装着凹部２ｂ，２ｃに配して形成されている。図１（ａ）及び図１（ｂ）に示すように、顔当てパッド３は、レンズユニット２に脱着自在に装着される。
【００１９】
図２は、ヘッドマウントディスプレイ１０に像データを送信する再生装置２０を接続したヘッドマウントディスプレイシステム１００のブロック図である。ヘッドマウントディスプレイシステム１００は、ヘッドマウントディスプレイ１０と、再生装置２０と、ヘッドマウントディスプレイ１０に電力を供給するバッテリーユニット１５と、を備える。
【００２０】
ヘッドマウントディスプレイ１０においては、筐体１内に、使用者の右目に像を提示するための右目用像表示部６ａ、左目に像を提示するための左目用像表示部６ｂ、像表示のための表示制御部７、像信号入力端子８を収容し、使用者が覗き込む面に右目用接眼レンズ４ａ及び左目用接眼レンズ４ｂを備えたレンズユニット２が配されている。以下、右目用像表示部６ａと左目用像表示部６ｂとをまとめて像表示部６とも称する。
【００２１】
右目用像表示部６ａ及び左目用像表示部６ｂは、液晶ディスプレイや有機ＥＬディスプレイ等の表示素子であり、ハーフミラーを備えたものであってもよい。また、表示制御部７は、再生装置２０から送信された像データを受信し、その像データに基づき、右目用像表示部６ａ及び左目用像表示部６ｂのそれぞれに再生された像の出力を実行するプログラム及びプロセッサ等を含む処理装置である。像信号入力端子８はＨＤＭＩ（High-Definition Multimedia Interface：登録商標）端子等であり、対応する端子を有する信号を伝送するための伝送ケーブル１２が接続される。また、ヘッドマウントディスプレイ１０は、給電ケーブル１１で接続されたバッテリーユニット１５から給電される。
【００２２】
再生装置２０は、ヘッドマウントディスプレイ１０に送信する像データを記憶する記憶部２１と、像データの記憶部２１への格納，格納された像データの再生，ヘッドマウントディスプレイ１０への信号の送信を制御する再生制御部２２、ＨＤＭＩケーブル等の伝送ケーブル１２を接続するＨＤＭＩ端子等の像信号出力端子２３とを備える。再生装置２０としては、例えば、ＨＤＤレコーダー、スマートフォン等のモバイル機器、パソコン等が用いられる。ヘッドマウントディスプレイ１０は、再生装置２０に伝送ケーブル１２で接続され、再生装置２０が送信する信号を適宜受信する。ヘッドマウントディスプレイ１０は再生装置２０に伝送ケーブル１２により有線接続されているが、有線接続の代わりに無線接続されていてもよい。
【００２３】
再生装置２０により再生され、伝送ケーブル１２で送信された再生データは、ヘッドマウントディスプレイ１０の像信号入力端子８を経て表示制御部７に入力される。詳しくは、表示制御部７は、再生装置２０から送信された再生データの信号を、右目用像表示部６ａまたは左目用像表示部６ｂに表示するために像情報に変換する。また、表示制御部７は、右目用像表示部６ａ及び左目用像表示部６ｂに表示する像に視差を与える処理を行うことにより、使用者に３Ｄ画像として視認されるようにデータ変換することもある。表示制御部７は、生成させた右目用または左目用の像情報を右目用像表示部６ａまたは左目用像表示部６ｂにそれぞれ出力させる。そして、右目用像表示部６ａ及び左目用像表示部６ｂはそれぞれ入力された像情報に基づいて画像や映像を表示する。ヘッドマウントディスプレイ１０を装着した使用者Ｕは、右目用接眼レンズ４ａを通して右目用像表示部６ａに表示された像を視認し，左目用接眼レンズ４ｂを通して左目用像表示部６ｂに表示された像を視認する。右目用像表示部６ａ及び左目用像表示部６ｂは、非透過型でも透過型でもよい。なお、右目用像表示部６ａまたは左目用像表示部６ｂは、それぞれ右目用接眼レンズ４ａまたは左目用接眼レンズ４ｂに対応して像を表示するものであれば、一体化されたディスプレイであってもよい。
【００２４】
ヘッドマウントディスプレイ１０は、図３に示すように、右目用接眼レンズ４ａ，左目用接眼レンズ４ｂを使用者Ｕの右目または左目でそれぞれ覗き込ませるように、レンズユニット２に固定された顔当てパッド３を使用者Ｕの顔面に当接させ、使用者Ｕの頭部に固定ベルト５で固定して装着される。顔当てパッド３を装着したレンズユニット２は、使用者Ｕの両目の視界をその周囲から遮蔽し、顔面と右目用接眼レンズ４ａ，左目用接眼レンズ４ｂとの間に空間を形成する。ヘッドマウントディスプレイにおいては、像表示部６に表示される像を視認させやすくするために、顔当てパッド３が、顔面の表面に形成される空間に外光を侵入させないように光遮蔽空間を形成させる。
【００２５】
右目用接眼レンズ４ａ及び左目用接眼レンズ４ｂは、ヘッドマウントディスプレイ１０を使用者に装着させたときに、それぞれ使用者の右目及び左目に対向するように配置される。また、右目用接眼レンズ４ａ及び左目用接眼レンズ４ｂは、それぞれ、右目用像表示部６ａ及び左目用像表示部６ｂに対向するように配置される。また、右目用接眼レンズ４ａ及び左目用接眼レンズ４ｂのそれぞれは、右目または左目のそれぞれの視界を制限すべく、筐体１に向けて突出するレンズユニット本体２ａに設けられたカップ状のレンズ装着凹部２ｂ，２ｃの底部にそれぞれ配されており、装着時に使用者の右目または左目のそれぞれの視界を制限するように配されている。このように各要素を配置することにより、使用者に右目で右目用接眼レンズ４ａを通して右目用像表示部６ａに表示される像を視認させ、左目で左目用接眼レンズ４ｂを通して左目用像表示部６ｂに表示される像を視認させる。
【００２６】
次に、本発明に係るヘッドマウントディスプレイ用顔当てパッド構造の実施形態について、図面を参照して詳しく説明する。
【００２７】
図４は、顔当てパッド３をレンズユニット２に脱着するときの様子を説明する説明図である。また、図５は、顔当てパッド３をレンズユニット２に装着するときの模式断面図である。また、図６は、ヘッドマウントディスプレイ１０を装着したときに使用者Ｕの顔面に顔当てパッド３が当接する様子を説明する説明図である。
【００２８】
図４において、（ａ）はレンズユニット２から顔当てパッド３を取り外した状態、（ｂ）はレンズユニット２に顔当てパッド３を装着したときの状態を示す。図４に示すように、顔当てパッド３は、レンズユニット２の外周縁Ｐに顔当てパッド３を嵌め込むようにして、脱着自在に装着されて、顔当てパッド構造９を形成している。
【００２９】
図５（ａ）はレンズユニット２から顔当てパッド３を取り外した状態、図５（ｂ）はレンズユニット２に顔当てパッド３を装着した顔当てパッド構造９を示す。図５（ａ）に示すように、顔当てパッド３は、使用者Ｕの顔面に当接する表装材３ａと、表装材３ａを支持するフレーム状部材３ｂとが一体化されて形成されている。詳しくは、顔当てパッド３は、使用者の顔面の目の周囲に当接する表装材３ａと、表装材３ａに一体化されたフレーム状部材３ｂ、とを備える。そして、顔当てパッド３のフレーム状部材３ｂは、その内周縁Ｉに沿って形成された断面が凸部である線状の第２の嵌合部Ｃを有する。また、レンズユニット２は、それを取り囲む外周縁Ｐに沿って断面が凹部である線状の第１の嵌合部Ｇを有する。そして、図５（ｂ）に示すように、レンズユニット２の外周縁Ｐに沿って形成された第１の嵌合部Ｇに、顔当てパッド３のフレーム状部材３ｂの内周縁Ｉに沿って形成された第２の嵌合部Ｇを嵌合させることにより、顔当てパッド３がレンズユニット２に装着される。
【００３０】
顔当てパッド３は、装着時に使用者に発汗による不快感を与えないように、肌触りのよい素材、さらに好ましくは吸水性を有する素材からなる表装材３ａを有し、また、表装材３ａが顔面に密着するように弾力性を有する。このような弾力性を保持させるために、フレーム状部材３ｂは、ゴムまたは熱可塑性エラストマーのような弾性体、好ましくは軟質の弾性体であることが、顔に対して密着性がよく、また、外周縁Ｐにフレーム状部材３ｂを嵌合させてレンズユニット２に顔当てパッド３を弾力性により脱着させやすい点から好ましい。
【００３１】
レンズユニット２を形成する素材としては、従来からヘッドマウントディスプレイのレンズユニットに用いられている素材がとくに限定なく用いられる。その具体例としては、例えば、ポリカーボネート，ポリエステル系樹脂，ポリオレフィン系樹脂，ポリアミド系樹脂等の硬質樹脂や、マグネシウム合金，アルミニウム，ステンレス鋼等の金属が挙げられる。
【００３２】
また、フレーム状部材３ｂを形成する素材としては、エラストマーまたはゴム等の弾性体が好ましく用いられる。このような弾性体の具体例としては、例えば、スチレン−エチレン−ブチレン−スチレン（ＳＥＢＳ）系熱可塑性エラストマー，スチレン−エチレン−プロピレン−スチレン（ＳＥＰＳ）系熱可塑性エラストマー等の熱可塑性エラストマー；シリコーン，フルオロシリコーンなどのシリコーン系エラストマー；ポリウレタン；ポリイソプレン，ポリブタジエン，ポリイソブチレン等のオレフィン系弾性体；ポリオキシエチレン−ポリウレタン系共重合エラストマーや、ポリウレタン−ポリスチレン−ポリエチレン系共重合エラストマー；アクリロニトリル−ブタジエンゴム，アクリルゴム，フッ素ゴム，シリコーンゴム，天然ゴム等のゴム、が挙げられる。また、これらの２種類以上を組み合わせた複合材であってもよい。さらに、フレーム状部材３ｂには、種々の表面改質処理が施されていてもよい。弾性体は、発泡構造を有することが快適性にとくに優れる点から好ましい。
【００３３】
また、表装材３ａとしては、使用者に発汗による不快感を与えないような、肌触りのよいシート素材がとくに限定なく用いられる。このようなシート素材の具体例としては、例えば、絡合不織布，抄紙不織布，織布，織物，編物等の布帛や、これらの布帛の空隙にポリウレタン等の高分子弾性体を付与した人工皮革や合成皮革のような皮革様素材が挙げられる。これらの中では、とくに、絡合不織布、または絡合不織布にポリウレタン等の高分子弾性体を付与した人工皮革等の皮革様素材、とくには、極細繊維の絡合不織布、または、極細繊維の絡合不織布を含む皮革様素材が意匠性に優れ、また、吸水したときの速乾性に優れるために快適性にも優れる点から好ましい。
【００３４】
顔当てパッド３の製造は、フレーム状部材３ｂの表面に表装材３ａを積層一体化できる限り特に限定されない。フレーム状部材３ｂの表面に表装材３ａを一体化する方法としては、フレーム状部材３ｂの表面に表装材３ａを接着剤で貼りあわせて接着する方法や、金型内に表装材３ａを収容し、射出成形することにより成形される射出成形体であるフレーム状部材３ｂに表装材３ａを一体化するインモールド成形する方法が挙げられる。これらの中では、インモールド成形する方法が生産性に優れる点から特に好ましい。
【００３５】
インモールド成形によりフレーム状部材３ｂの表面に表装材３ａを一体化させた顔当てパッド３を製造する場合、表装材３ａとしては、極細繊維の絡合不織布、または、極細繊維の絡合不織布を含む皮革様素材を用いることが成形性に優れる点から好ましい。
【００３６】
極細繊維の絡合不織布の繊維を形成する熱可塑性樹脂は特に限定されず、例えば、ポリエチレンテレフタレート（ＰＥＴ）等のポリエステルや、ポリアミド６，ポリアミド６６等のポリアミド；ポリプロピレン，ポリエチレン等のポリオレフィン等が挙げられる。また、極細繊維の絡合不織布を形成する繊維の繊度は、繊度２ｄｔｅｘ以下、さらには、０．００１〜１ｄｔｅｘ、とくには０．０１〜０．６ｄｔｅｘであることが好ましい。繊度が高すぎる場合には、緻密な不織布が得られるにくくなり、吸水したときの速乾性が低下する傾向がある。
【００３７】
繊維の繊維長は特に限定されず、紡糸後に繊維長が３〜８０ｍｍ程度になるように意図的に切断された短繊維であるステープルであっても、８０ｍｍ以上の適度な長さに切断されたフィラメントであっても、紡糸後に意図的にカットしない連続繊維であってもよい。これらの中では、繊維密度の高い不織布が得られる点から連続繊維がとくに好ましい。連続繊維の繊維長は、技術的に製造可能であり、かつ、製造工程において不可避的に切断されない限り、数ｍ、数百ｍ、数ｋｍあるいはそれ以上の繊維長であってもよい。なお、絡合時のニードルパンチや、表面のバフィングにより、製造工程において不可避的に長繊維の一部が切断されて短繊維になることもある。
【００３８】
絡合不織布の空隙にポリウレタン等の高分子弾性体を付与することにより人工皮革等の皮革様素材が得られる。高分子弾性体の種類は特に限定されない。その具体例としては、例えば、ポリウレタン、アクリル系弾性体、ポリウレタンアクリル複合弾性体、ポリ塩化ビニル、合成ゴム等が挙げられる。これらの中では、ポリウレタンが接着性や機械特性が優れる点から好ましい。高分子弾性体の含有割合としては、極細繊維との合計量に対して、５〜５０質量％、さらには、１２〜４０質量％、とくには８〜３０％であることが風合いを損なわずに充分な耐摩耗性や機械的強度を付与できる点から好ましい。
【００３９】
皮革様素材は、意匠性の点から着色剤で着色されていることが好ましい。皮革様素材に着色剤を含有させる方法は特に限定されない。例えば、繊維を溶融紡糸する際繊維中に顔料を配合したり、無着色の繊維を染料で染色したり、高分子弾性体を顔料や染料で着色したり、インクジェットプリントにより表面をインクで印刷してもよい。また、これらを組み合わせて着色してもよい。これらの中では、遮光性に優れる点及び堅牢度が高い点から顔料で着色する方法がとくに好ましい。顔料の具体例としては、例えば、カーボンブラックや、フタロシアニン系，アントラキノン系，キナクドリン系，ジオキサジン系，ペリレン系，チオインジゴ系，アゾ系等の有機顔料や、酸化チタン，べんがら，クロムレッド，モリブデンレッド，リサージ，酸化鉄等の無機顔料が挙げられる。また、染料は堅牢性の観点から適宜選択されるが、絡合不織布を形成する繊維がポリエステル繊維である場合には、カチオン可染性ポリエステル繊維を用い、カチオン染料で染色することが堅牢性に優れる点から好ましい。
【００４０】
以上、本発明に係るヘッドマウントディスプレイ用顔当てパッド構造及びヘッドマウントディスプレイの一実施形態を説明したが、具体的な構成については、本発明の要旨を逸脱しない範囲で、適宜変更することができる。
【符号の説明】
【００４１】
１  筐体
２  レンズユニット
２ａ  レンズユニット本体
２ｂ，２ｃ  レンズ装着凹部
２ｄ      鼻当て部
３  顔当てパッド
３ａ  表装材
３ｂ  フレーム状部材
４ａ  右目用接眼レンズ
４ｂ  左目用接眼レンズ
５  固定ベルト
５ａ  ベルト
５ｂ  サイズ調節具
６  像表示部
６ａ  右目用像表示部
６ｂ  左目用像表示部
７  表示制御部
８  像信号入力端子
９  顔当てパッド構造
１０  ヘッドマウントディスプレイ
１１  給電ケーブル
１２  伝送ケーブル
１５  バッテリーユニット
２０  再生装置
２１  記憶部
２２  再生制御部
２３  像信号出力端子
１００  ヘッドマウントディスプレイシステム
Ｃ、Ｇ  嵌合部
Ｉ  内周縁
Ｐ  外周縁
Ｕ  使用者
【図１】
2019068235.tif 000003
【図２】
2019068235.tif 000004
【図３】
2019068235.tif 000005
【図４】
2019068235.tif 000006
【図５】
2019068235.tif 000007
【図６】
2019068235.tif 000008